(57)【要約】【課題】従来のデジタル放送受信装置の受信に影響を与えない放送信号によって、新たな限定受信方式に対応することが可能なデジタル放送受信装置を提供する。【解決手段】デジタル放送受信装置１Ｂ２は、多重分離手段１０で分離された、異なる限定受信方式を識別する限定受信方式記述子とアクセス制御記述子とを含んだＰＭＴおよびＣＡＴから、アクセス制御記述子を分離し、当該アクセス制御記述子に記載されているパケット識別とＥＣＭおよびＥＭＭの伝送経路を示す伝送情報とを抽出するアクセス制御記述子分離手段１１Ｂと、伝送経路で伝送されるＥＣＭおよびＥＭＭから、パケット識別に対応するＥＣＭおよびＥＭＭを抽出するフィルタリング手段１２Ｂとを備え、限定受信制御手段１３が、フィルタリングされたＥＣＭ／ＥＭＭによりコンテンツを復号することを特徴とする。【選択図】図８
2014017798.tif 000002
【特許請求の範囲】
【請求項１】
放送波を介して送信される暗号化されたコンテンツを、限定受信方式により再生するデジタル放送受信装置であって、
異なる限定受信方式を識別するために予め定めた限定受信方式記述子とアクセス制御記述子とを記述子領域に含んだテーブル情報であるＰＭＴおよびＣＡＴと、前記異なる限定受信方式に対応する複数のメッセージ情報であるＥＣＭおよびＥＭＭと、前記暗号化されたコンテンツとが少なくとも多重化された前記放送波を分離する多重分離手段と、
この多重分離手段で分離されたテーブル情報から、前記アクセス制御記述子を分離し、当該アクセス制御記述子に記載されているパケット識別と、ＥＣＭおよびＥＭＭの伝送経路を示す伝送情報とを抽出するアクセス制御記述子分離手段と、
このアクセス制御記述子分離手段によって抽出された伝送情報で特定される伝送経路により伝送されるＥＣＭおよびＥＭＭから、前記アクセス制御記述子分離手段によって抽出されたパケット識別に対応するＥＣＭおよびＥＭＭを抽出するフィルタリング手段と、
このフィルタリング手段で抽出されたＥＣＭおよびＥＭＭによって、スクランブル鍵を生成する限定受信制御手段と、
この限定受信制御手段で生成されたスクランブル鍵を用いて、前記コンテンツを復号するデスクランブル手段と、
を備えることを特徴とするデジタル放送受信装置。
【請求項２】
前記ＰＭＴおよびＣＡＴには、限定受信方式ごとに異なる予め定めた限定受信方式識別子が記載されたアクセス制御記述子が含まれ、
前記アクセス制御記述子分離手段は、前記アクセス制御記述子からさらに前記限定受信方式識別子を抽出し、
前記限定受信制御手段は、自身の限定受信方式を識別する限定受信方式識別子を出力するものであって、
前記アクセス制御記述子分離手段が抽出した限定受信方式識別子と、前記限定受信制御手段が出力する限定受信方式識別子とを比較する比較手段と、
この比較手段によって両識別子が一致すると判定された場合に、前記フィルタリング手段で抽出されたＥＣＭおよびＥＭＭを、前記限定受信制御手段に出力する切替信号出力手段と、
をさらに備えることを特徴とする請求項１に記載のデジタル放送受信装置。
【請求項３】
放送波を介して送信される暗号化されたコンテンツを、限定受信方式により再生するデジタル放送受信装置において、コンピュータを、
異なる限定受信方式を識別するために予め定めた限定受信方式記述子とアクセス制御記述子とを記述子領域に含んだテーブル情報であるＰＭＴおよびＣＡＴと、前記異なる限定受信方式に対応する複数のメッセージ情報であるＥＣＭおよびＥＭＭと、前記暗号化されたコンテンツとが少なくとも多重化された前記放送波を分離する多重分離手段、
この多重分離手段で分離されたテーブル情報から、前記アクセス制御記述子を分離し、当該アクセス制御記述子に記載されているパケット識別と、ＥＣＭおよびＥＭＭの伝送経路を示す伝送情報とを抽出するアクセス制御記述子分離手段、
このアクセス制御記述子分離手段によって抽出された伝送情報で特定される伝送経路により伝送されるＥＣＭおよびＥＭＭから、前記アクセス制御記述子分離手段によって抽出されたパケット識別に対応するＥＣＭおよびＥＭＭを抽出するフィルタリング手段、
このフィルタリング手段で抽出されたＥＣＭおよびＥＭＭによって、スクランブル鍵を生成する限定受信制御手段、
この限定受信制御手段で生成されたスクランブル鍵を用いて、前記コンテンツを復号するデスクランブル手段、
として機能させるためのデジタル放送受信プログラム。
【発明の詳細な説明】
【技術分野】
【０００１】
本発明は、デジタル放送における複数の限定受信方式を並列運用する際に、自受信装置に適合する限定受信方式でコンテンツの暗号を復号するデジタル放送受信装置およびそのプログラムに関する。
【背景技術】
【０００２】
現在、地上デジタル放送におけるコンテンツ保護は、限定受信方式（ＣＡＳ：Conditional Access System）を用いて実現されている。この限定受信方式では、コンテンツのアクセス制御に関する機能を耐タンパモジュールであるＩＣカード（ＣＡＳカード）に実装し、ＩＣカードと受信装置とを組み合わせることで、アクセス制限を行っている。さらに、新たなコンテンツ保護のための方式として、ＩＣカードを使用せずに、ソフトウェア制御でコンテンツの暗号を復号する（スクランブル解除を行う）限定受信方式（以下、新方式という）が規格化されている（非特許文献１参照）。
【０００３】
なお、従来のデジタル放送受信装置では、ＩＣカードのみでスクランブル解除を行っているため、新方式には対応していない。一方、今後製造されるデジタル放送受信装置は、新方式に対応するため、地上デジタル放送では、複数の限定受信方式に対応した放送を行う必要性が生じる。
【０００４】
このような、複数の限定受信方式を並列運用するための技術として、サイマルクリプト方式と呼ばれる技術が知られている（特許文献１、非特許文献２参照）。
このサイマルクリプト方式は、従来の限定受信方式で用いられている限定受信方式記述子を、ＰＭＴ（Program Map Table）やＣＡＴ（Conditional Access Table）に複数並列に記載する手法である。
【０００５】
例えば、コンテンツを暗号化するスクランブル鍵は、ＥＣＭ（Entitlement Control Message）と呼ばれる情報に、符号化および暗号化されて放送コンテンツとともに伝送される。このＥＣＭは、限定受信方式ごとに符号化フォーマットや暗号方式が異なる。
そこで、複数の異なる限定受信方式を採用する場合、ＥＣＭを並行して複数伝送することになる。
この場合、サイマルクリプト方式では、限定受信方式ごとの限定受信方式記述子をＰＭＴに複数並列に記載し、受信装置において、限定受信方式記述子に記載されている限定受信方式識別子により、自受信装置の限定受信方式に適合する限定受信方式記述子を分離し、当該限定受信方式記述子に記述されているパケット識別（ＰＩＤ）で、ＥＣＭを特定する。
【０００６】
また、例えば、限定受信方式では、契約情報などを個別に受信装置に伝送するために、ＥＭＭ（Entitlement Management Message）と呼ばれる情報がある。このＥＭＭも、限定受信方式ごとに符号化フォーマットや暗号方式が異なり、複数の異なる限定受信方式を採用する場合、ＥＭＭを並行して複数伝送することになる。
この場合、サイマルクリプト方式では、限定受信方式ごとの限定受信方式記述子をＣＡＴに複数並列に記載し、受信装置において、限定受信方式記述子に記載されている限定受信方式識別子により、自受信装置の限定受信方式に適合する限定受信方式記述子を分離し、当該限定受信方式記述子に記述されているパケット識別（ＰＩＤ）で、ＥＭＭを特定する。
【先行技術文献】
【特許文献】
【０００７】
【特許文献１】特開２００４−３２０１１３号公報
【非特許文献】
【０００８】
【非特許文献１】「デジタル放送におけるアクセス制御方式  標準規格（ＡＲＩＢ  ＳＴＤ−Ｂ２５）  第３部」、６．０版、社団法人電波産業会、平成２３年３月２８日改定
【非特許文献２】「地上デジタルテレビジョン放送運用規定  技術資料（ＡＲＩＢ  ＴＲ−Ｂ１４）  第五編第二部」、４．８版、Ｐ１１２−１１３、社団法人電波産業会、平成２４年２月１４日改定
【発明の概要】
【発明が解決しようとする課題】
【０００９】
前記したサイマルクリプト方式を適用して、ＰＭＴやＣＡＴに限定受信方式記述子を複数並列に記載した場合、デジタル放送受信装置では、自受信装置の限定受信方式に適合する限定受信方式記述子を分離して、ＰＩＤを抽出する必要がある。
【００１０】
しかし、従来のデジタル放送受信装置は、現状運用されているＩＣカードを用いた限定受信方式を想定した設計となっているため、複数の限定受信方式記述子の中から必ずしも自受信装置に適合した限定受信方式記述子を分離して、ＰＩＤを抽出する設計となっていない受信装置が多く存在する。
すなわち、そのようなデジタル放送受信装置では、サイマルクリプト方式を適用して、複数の限定受信方式記述子をＰＭＴやＣＡＴに並列に記載された場合、自受信装置に適合しない限定受信方式記述子から誤ったＰＩＤを抽出することで、正しいスクランブル鍵を抽出することができず、映像／音声を正常に再生することができないという問題がある。
【００１１】
本発明は、以上のような問題に鑑みてなされたものであり、従来のデジタル放送受信装置の受信に影響を与えない放送信号によって、新たな限定受信方式に対応することが可能なデジタル放送受信装置およびそのプログラムを提供することを課題とする。
【課題を解決するための手段】
【００１２】
本発明は、前記課題を解決するために創案されたものであり、まず、請求項１に記載のデジタル放送受信装置は、放送波を介して送信される暗号化されたコンテンツを、限定受信方式により再生するデジタル放送受信装置であって、多重分離手段と、アクセス制御記述子分離手段と、フィルタリング手段と、限定受信制御手段と、デスクランブル手段と、を備える構成とした。
【００１３】
かかる構成において、デジタル放送受信装置は、多重分離手段によって、放送波に多重化されている、異なる限定受信方式を識別するために予め定めた限定受信方式記述子とアクセス制御記述子とを記述子領域に含んだテーブル情報であるＰＭＴおよびＣＡＴと、その異なる限定受信方式に対応する複数のメッセージ情報であるＥＣＭおよびＥＭＭと、暗号化されたコンテンツとを分離する。
【００１４】
そして、デジタル放送受信装置は、アクセス制御記述子分離手段によって、多重分離手段で分離されたテーブル情報から、アクセス制御記述子を分離し、当該アクセス制御記述子に記載されているパケット識別と、ＥＣＭおよびＥＭＭの伝送経路を示す伝送情報とを抽出する。
これによって、デジタル放送受信装置は、従来の限定受信方式記述子で特定される限定受信方式とは異なる他の限定受信方式に対応したＥＣＭ／ＥＭＭを伝送するパケットを特定するとともに、その伝送経路を特定することができる。
【００１５】
そして、デジタル放送受信装置は、フィルタリング手段によって、アクセス制御記述子分離手段によって抽出された伝送情報で特定される伝送経路により伝送されるＥＣＭおよびＥＭＭから、アクセス制御記述子分離手段によって抽出されたパケット識別に対応するＥＣＭおよびＥＭＭを抽出する。
これによって、デジタル放送受信装置は、アクセス制御記述子で特定される限定受信方式に対応したＥＣＭおよびＥＭＭを抽出することができる。
【００１６】
そして、デジタル放送受信装置は、限定受信制御手段によって、フィルタリング手段で抽出されたＥＣＭおよびＥＭＭによる限定受信方式により、スクランブル鍵を生成する。
そして、デジタル放送受信装置は、デスクランブル手段によって、限定受信制御手段で生成されたスクランブル鍵を用いてコンテンツを復号する。
【００１７】
また、請求項２に記載のデジタル放送受信装置は、請求項１に記載のデジタル放送受信装置において、ＰＭＴおよびＣＡＴには、限定受信方式ごとに異なる予め定めた限定受信方式識別子が記載されたアクセス制御記述子が含まれ、アクセス制御記述子分離手段が、アクセス制御記述子からさらに限定受信方式識別子を抽出し、限定受信制御手段が、自身の限定受信方式を識別する限定受信方式識別子を出力するものであって、比較手段と、切替信号出力手段と、をさらに備える構成とした。
【００１８】
かかる構成において、デジタル放送受信装置は、比較手段によって、アクセス制御記述子分離手段が抽出した限定受信方式識別子と、限定受信制御手段が出力する限定受信方式識別子とを比較する。これによって、デジタル放送受信装置は、限定受信制御手段において行う限定受信方式と、限定受信方式識別子で特定される限定受信方式とが合致するのかを判定することができる。
【００１９】
そして、デジタル放送受信装置は、切替信号出力手段によって、比較手段で両識別子が一致すると判定された場合に、フィルタリング手段で抽出されたＥＣＭおよびＥＭＭを、限定受信制御手段に出力する。
これによって、限定受信方式が合致したＥＣＭおよびＥＭＭのみが、限定受信制御手段で処理されることになる。
【００２０】
さらに、請求項３に記載のデジタル放送受信プログラムは、放送波を介して送信される暗号化されたコンテンツを、限定受信方式により再生するデジタル放送受信装置において、コンピュータを、多重分離手段、アクセス制御記述子分離手段、フィルタリング手段、限定受信制御手段、デスクランブル手段、として機能させる構成とした。
【００２１】
かかる構成において、デジタル放送受信プログラムは、多重分離手段によって、放送波に多重化されている、異なる限定受信方式を識別するために予め定めた限定受信方式記述子とアクセス制御記述子とを記述子領域に含んだテーブル情報であるＰＭＴおよびＣＡＴと、その異なる限定受信方式に対応する複数のメッセージ情報であるＥＣＭおよびＥＭＭと、暗号化されたコンテンツとを分離する。
【００２２】
そして、デジタル放送受信プログラムは、アクセス制御記述子分離手段によって、多重分離手段で分離されたテーブル情報から、アクセス制御記述子を分離し、当該アクセス制御記述子に記載されているパケット識別を抽出する。
そして、デジタル放送受信プログラムは、フィルタリング手段によって、アクセス制御記述子分離手段によって抽出された伝送情報で特定される伝送経路により伝送されるＥＣＭおよびＥＭＭから、アクセス制御記述子分離手段によって抽出されたパケット識別に対応するＥＣＭおよびＥＭＭを抽出する。
【００２３】
そして、デジタル放送受信プログラムは、限定受信制御手段によって、フィルタリング手段で抽出されたＥＣＭおよびＥＭＭによる限定受信方式により、スクランブル鍵を生成する。
そして、デジタル放送受信プログラムは、デスクランブル手段によって、限定受信制御手段で生成されたスクランブル鍵を用いてコンテンツを復号する。
【発明の効果】
【００２４】
本発明は、以下に示す優れた効果を奏するものである。
請求項１，３に記載の発明によれば、ＰＭＴやＣＡＴにおいて、限定受信方式を識別するための従来の限定受信方式記述子と、他の限定受信方式を識別するためのアクセス制御記述子とを並列して記載することで、従来の限定受信方式とは独立して、新たな方式の限定受信方式に対応することができる。また、このとき、従来のデジタル放送受信装置では、限定受信方式記述子を参照することになるため、従来のデジタル放送受信装置の受信に影響を与えることがない。
【００２５】
請求項２に記載の発明によれば、請求項１に記載の効果に加え、新たな限定受信方式を複数採用した場合であっても、個々の受信装置に対応する限定受信方式に対応したＥＣＭ／ＥＭＭを確実に抽出することができるため、正しくコンテンツを再生することができる。また、このように、限定受信方式を複数制御することができることで、１の限定受信方式のセキュリティ維持が困難な状態に陥ったとしても被害を最小限に抑えることができる。
【図面の簡単な説明】
【００２６】
【図１】本発明の実施形態に係るデジタル放送システムの構成を示す概略構成図である。
【図２】本発明の第１実施形態に係るデジタル放送受信装置の構成を示すブロック構成図である。
【図３】限定受信方式を識別するための記述子のデータ構成図であって、（ａ）はアクセス制御記述子、（ｂ）は限定受信方式記述子のデータ構成図である。
【図４】本発明の第１実施形態に係るデジタル放送受信装置のアクセス制御記述子分離手段の動作を示すフローチャートである。
【図５】本発明の第２実施形態に係るデジタル放送受信装置の構成を示すブロック構成図である。
【図６】本発明の第２実施形態に係るデジタル放送受信装置のアクセス制御記述子分離手段の動作を示すフローチャートである。
【図７】本発明の第３実施形態に係るデジタル放送受信装置の構成を示すブロック構成図である。
【図８】本発明の第３実施形態の変形例に係るデジタル放送受信装置の構成を示すブロック構成図である。
【図９】本発明の第３実施形態に係るデジタル放送受信装置のアクセス制御記述子分離手段の動作を示すフローチャートである。
【図１０】本発明の第４実施形態に係るデジタル放送受信装置の構成を示すブロック構成図である。
【図１１】本発明の第４実施形態の変形例に係るデジタル放送受信装置の構成を示すブロック構成図である。
【図１２】本発明の第４実施形態に係るデジタル放送受信装置のアクセス制御記述子分離手段の動作を示すフローチャートである。
【図１３】本発明の実施形態に係るデジタル放送送信装置の構成を示すブロック構成図である。
【発明を実施するための形態】
【００２７】
以下、本発明の実施形態について図面を参照して説明する。
＜デジタル放送システムの概要＞
最初に、図１を参照して、本発明の実施形態に係るデジタル放送システムの概要について説明する。
【００２８】
デジタル放送システムＳは、放送事業者が有するデジタル放送送信装置２と、各家庭等に設置されたデジタル放送受信装置１，１，１，…とで構成され、デジタル放送送信装置２からデジタル放送の放送波Ｗで送信されるコンテンツ（映像、音声等）をデジタル放送受信装置１において受信し、視聴者が視聴するシステムである。なお、放送波Ｗは、地上デジタル放送、衛星放送、ケーブル放送等、無線、有線を問わない。
【００２９】
このデジタル放送システムＳは、デジタル放送送信装置２において、コンテンツのスクランブル（暗号化）を行い、デジタル放送受信装置１において、スクランブルされたコンテンツをデスクランブル（復号）することで、限定受信方式によりコンテンツの保護を行う。
以下、デジタル放送システムＳを構成するデジタル放送受信装置１およびデジタル放送送信装置２について順次説明を行う。
【００３０】
＜第１実施形態＞
［デジタル放送受信装置の構成］
まず、図２を参照して、本発明の第１実施形態に係るデジタル放送受信装置１の構成について説明する。
このデジタル放送受信装置１は、デジタル放送送信装置２（図１参照）から送信される暗号化されたコンテンツを受信し、限定受信方式で、コンテンツの暗号を復号するものである。ここでは、デジタル放送受信装置１は、図示を省略した選局・復調手段と、多重分離手段１０と、アクセス制御記述子分離手段１１と、フィルタリング手段１２と、限定受信制御手段１３と、デスクランブル手段１４と、を備えている。
【００３１】
多重分離手段１０は、アンテナを介して受信した放送波Ｗから、選局・復調手段（不図示）によって、視聴者が選局した放送信号を復調したＭＰＥＧ−２  ＴＳ（トランスポートストリーム）パケットを分離するものである。
この多重分離手段１０は、ＴＳに多重化されて伝送されてくるＰＭＴ（Program Map Table）およびＣＡＴ（Conditional Access Table）を分離して、アクセス制御記述子分離手段１１に出力する。
また、多重分離手段１０は、ＴＳに多重化されて伝送されてくるＥＣＭ（Entitlement Control Message）およびＥＭＭ（Entitlement Management Message）を分離して、フィルタリング手段１２に出力する。
さらに、多重分離手段１０は、ＴＳに多重化されて伝送されてくる放送番組であるコンテンツ（映像／音声）を分離して、デスクランブル手段１４に出力する。
【００３２】
ここで、ＰＭＴは、放送番組のストリーム（コンポーネント）情報や、ＥＣＭを伝送するＴＳパケットのパケット識別（パケットＩＤ：ＰＩＤ）等を示すテーブル情報である。また、ＣＡＴは、ＥＭＭを伝送するＴＳパケットのパケット識別等を示すテーブル情報である。
また、ＥＣＭは、全受信装置に共通の情報を伝送するデータで、主にスクランブル放送のスクランブル鍵や放送番組の情報を伝送するメッセージ情報である。また、ＥＭＭは、受信装置固有の情報を伝送するデータで、主にＥＣＭを復号するためのワーク鍵を伝送するメッセージ情報である。
【００３３】
アクセス制御記述子分離手段１１は、多重分離手段１０で分離されたＰＭＴおよびＣＡＴの記述子領域から、アクセス制御記述子を分離し、当該アクセス制御記述子に記載されているパケット識別を抽出するものである。なお、アクセス制御記述子は、限定受信方式記述子で特定される限定受信方式とは異なる他の限定受信方式を特定するための記述子である。
【００３４】
すなわち、アクセス制御記述子分離手段１１は、ＰＭＴが入力された場合、ＰＭＴの記述子領域に記載されている記述子の中から、予め定めた記述子タグの値でアクセス制御記述子を探索し、該当するアクセス制御記述子を分離する。そして、アクセス制御記述子分離手段１１は、分離したアクセス制御記述子に記載されているＰＩＤ（パケット識別）を抽出する。
【００３５】
また、同様に、アクセス制御記述子分離手段１１は、ＣＡＴが入力された場合、ＣＡＴの記述子領域に記載されている記述子の中から、予め定めた記述子タグの値でアクセス制御記述子を探索し、該当するアクセス制御記述子を分離する。そして、アクセス制御記述子分離手段１１は、分離したアクセス制御記述子に記載されているＰＩＤ（パケット識別）を抽出する。
【００３６】
なお、このアクセス制御記述子分離手段１１は、ＰＩＤの値が、予めヌルパケットとして定められている値（０ｘ１ＦＦＦ）である場合、そのアクセス制御記述子を無視して、さらに、記述子領域に記載されている記述子の中から、アクセス制御記述子を探索する。
そして、アクセス制御記述子分離手段１１は、抽出したＰＩＤをフィルタリング手段１２に出力する。
【００３７】
ここで、図３を参照して、アクセス制御記述子のデータ構成について説明する。図３（ａ）に示すように、アクセス制御記述子は、記述子タグＤ１と、記述子長Ｄ２と、限定受信方式識別子Ｄ３と、伝送情報Ｄ４と、パケット識別（ＰＩＤ）Ｄ５と、データＤ６とで構成される。
【００３８】
記述子タグＤ１は、当該アクセス制御記述子を特定する予め定めた値を記述する領域である。記述子長Ｄ２は、これより後に続くデータバイト数を記述する領域である。限定受信方式識別子Ｄ３は、限定受信方式の種類を識別する予め定めた値を記述する領域である。伝送情報Ｄ４は、ＥＣＭ／ＥＭＭの伝送経路を示す情報を記述する領域である。パケット識別（ＰＩＤ）Ｄ５は、ＴＳパケットのパケット識別の値を記述する領域である。データＤ６は、ここでは特に規定しないが、予備のデータ領域である。
ここで、限定受信方式識別子Ｄ３および伝送情報Ｄ４は、第２実施形態以降のデジタル放送受信装置において参照される情報である。
【００３９】
なお、図３（ｂ）には、参考として、従来の限定受信方式記述子のデータ構成を示している。このアクセス制御記述子と限定受信方式記述子とでは、記述子タグＤ１，Ｅ１の値が異なるため、両方の記述子がＰＭＴやＣＡＴの記述子領域に並列して記載されている場合であっても、それぞれの記述子を区別することができる。
図２に戻って、デジタル放送受信装置１の構成について説明を続ける。
【００４０】
フィルタリング手段１２は、アクセス制御記述子分離手段１１から抽出されたパケット識別（ＰＩＤ）に対応するＥＣＭおよびＥＭＭを、多重分離手段１０で分離されたＥＣＭおよびＥＭＭから抽出するものである。
すなわち、フィルタリング手段１２は、多重分離手段１０で分離された複数のＥＣＭおよびＥＭＭのうちで、アクセス制御記述子に記載されているＰＩＤと同じ値のＴＳパケットのみを通過させるＰＩＤフィルタとして機能する。
このフィルタリング手段１２は、フィルタリングした結果のＥＣＭおよびＥＭＭを限定受信制御手段１３に出力する。
【００４１】
限定受信制御手段１３は、フィルタリング手段１２で抽出されたＥＣＭおよびＥＭＭによって、スクランブル鍵を生成するものである。
なお、この限定受信制御手段１３は、ＡＲＩＢ  ＳＴＤ−Ｂ２５で規定されている従来のアクセス制御方式の手順に従って、スクランブル鍵を生成する一般的なＣＡモジュールである。すなわち、限定受信制御手段１３は、図示を省略した記憶手段に予め記憶しているデバイス鍵またはマスター鍵で、ＥＭＭを復号することで、ワーク鍵を生成し、ＥＣＭをそのワーク鍵で復号することで、スクランブル鍵を生成する。
この限定受信制御手段１３は、生成したスクランブル鍵Ｋｓをデスクランブル手段１４に出力する。
【００４２】
デスクランブル手段１４は、多重分離手段１０で分離された、スクランブルされたコンテンツ（映像／音声）のＴＳパケットを、限定受信制御手段１３で生成されたスクランブル鍵でデスクランブル（復号）するものである。このデスクランブル手段１４で復号されたコンテンツは、図示を省略した表示装置等に出力され、視聴者が視聴可能なデータにデコードされて表示される。
【００４３】
以上説明したようにデジタル放送受信装置１を構成することで、デジタル放送受信装置１は、ＰＭＴやＣＡＴにおいて、限定受信方式を識別するための従来の限定受信方式記述子と、他の限定受信方式を識別するためのアクセス制御記述子とが並列して記載されている記述子領域から、アクセス制御記述子を分離して、限定受信処理を行うことができる。このとき、従来のデジタル放送受信装置では、アクセス制御記述子を無視して、限定受信方式記述子を参照することになるため、アクセス制御記述子により他の限定受信方式を追加された場合であっても受信に影響はない。
【００４４】
［デジタル放送受信装置の動作］
次に、本発明の第１実施形態に係るデジタル放送受信装置１の動作について説明する。なお、デジタル放送受信装置１における限定受信方式により映像／音声をデスクランブルする動作そのものは一般的なものであるため、ここでは説明を省略する。
以下、図４を参照（構成については、適宜図２参照）して、本発明の主要な動作である、ＰＭＴ／ＣＡＴから、限定受信方式を特定するアクセス制御記述子を分離して、ＥＣＭ／ＥＭＭを特定するパケット識別（ＰＩＤ）を抽出するアクセス制御記述子分離手段１１の動作について詳細に説明する。
【００４５】
まず、アクセス制御記述子分離手段１１は、多重分離手段１０で分離されて入力されたたＰＭＴまたはＣＡＴの各テーブル情報の記述子領域に記載されている記述子を順次抽出する（ステップＳ１）。ここで、記述子が抽出できなかった場合、すなわち、すべての記述子の抽出が完了した場合（ステップＳ２でＮＯ）、アクセス制御記述子分離手段１１は、動作を終了する。
【００４６】
一方、記述子を抽出することができた場合（ステップＳ２でＹＥＳ）、アクセス制御記述子分離手段１１は、その記述子の記述子タグ（Ｄ１：図３（ａ）参照）の値が、予め定めたアクセス制御記述子のタグ値であるか否かにより、当該記述子がアクセス制御記述子であるか否かを判定する（ステップＳ３）。
【００４７】
ここで、ステップＳ１で抽出した抽出した記述子がアクセス制御記述子であった場合（ステップＳ３でＹＥＳ）、アクセス制御記述子分離手段１１は、アクセス制御記述子に記載されているＰＩＤ（パケット識別）がヌルパケットとして規定されている値であるか否かを判定する（ステップＳ４）。なお、ＰＩＤが“０ｘ１ＦＦＦ”のＴＳパケットは、ＴＳにおいてヌルパケットと予め規定されているため、ここでは、アクセス制御記述子分離手段１１は、ＰＩＤが“０ｘ１ＦＦＦ”であるか否かを判定する。
【００４８】
そして、ＰＩＤがヌルパケットとして規定されている値（０ｘ１ＦＦＦ）でなかった場合（ステップＳ４でＮＯ）、アクセス制御記述子分離手段１１は、そのＰＩＤをフィルタリング手段１２に出力する（ステップＳ５）。
一方、ステップＳ１で抽出した記述子がアクセス制御記述子でなかった場合（ステップＳ３でＮＯ）、あるいは、アクセス制御記述子に記載されているＰＩＤが“０ｘ１ＦＦＦ”であった場合（ステップＳ４でＹＥＳ）、アクセス制御記述子分離手段１１は、ステップＳ１に戻って次の記述子の抽出を行う。
【００４９】
このように、アクセス制御記述子分離手段１１は、ＰＭＴ／ＣＡＴの記述子領域に、従来の限定受信方式記述子と並列に記載されているアクセス制御記述子を分離して、ＰＩＤを抽出する。これによって、デジタル放送受信装置１は、既存のデジタル放送受信装置がアクセスしない記述子により、従来の限定受信方式とは異なる新たな限定受信方式で動作することができる。
【００５０】
＜第２実施形態＞
［デジタル放送受信装置の構成］
次に、図５を参照して、本発明の第２実施形態に係るデジタル放送受信装置１Ａの構成について説明する。
このデジタル放送受信装置１Ａは、デジタル放送送信装置２（図１参照）から送信されるスクランブルされたコンテンツを受信し、限定受信方式で、コンテンツの暗号を復号するデジタル放送受信装置１（図２参照）の機能を備え、同一のアクセス制御記述子で、さらに異なる限定受信方式を識別する機能を備えている。
すなわち、デジタル放送受信装置１Ａは、サイマルクリプト方式を適用して、アクセス制御記述子が複数送信された場合に、その中から、自受信装置の限定受信方式に該当するアクセス制御記述子で動作する機能を有する。
【００５１】
ここでは、デジタル放送受信装置１Ａは、図示を省略した選局・復調手段と、多重分離手段１０と、アクセス制御記述子分離手段１１Ａと、フィルタリング手段１２と、限定受信制御手段１３Ａと、デスクランブル手段１４と、比較手段１５と、切替信号出力手段１６と、を備えている。
ここで、多重分離手段１０、フィルタリング手段１２およびデスクランブル手段１４は、図２で説明したデジタル放送受信装置１と同じ構成であるため、同一の符号を付して説明を省略する。
【００５２】
アクセス制御記述子分離手段１１Ａは、多重分離手段１０で分離されたＰＭＴおよびＣＡＴから、アクセス制御記述子を分離し、当該アクセス制御記述子に記載されているパケット識別を抽出するものであって、図２で説明したアクセス制御記述子分離手段１１と同じ機能を備えている。さらに、アクセス制御記述子分離手段１１Ａは、複数のアクセス制御記述子から、当該アクセス制御記述子に記載されている限定受信方式識別子を抽出する機能を備えている。
【００５３】
ここで、限定受信方式識別子は、図３（ａ）で説明したアクセス制御記述子の構成中のデータ（限定受信方式識別子Ｄ３）であって、異なる限定受信方式ごとに予め定めた値が設定される。
ここでは、アクセス制御記述子分離手段１１Ａは、抽出したパケット識別（ＰＩＤ）を、フィルタリング手段１２に出力するとともに、抽出した限定受信方式識別子（ＣＡ＿ｓｙｓｔｅｍ＿ＩＤ）を比較手段１５に出力する。
【００５４】
なお、アクセス制御記述子分離手段１１Ａは、比較手段１５から、限定受信方式識別子（ＣＡ＿ｓｙｓｔｅｍ＿ＩＤ）で特定される限定受信方式が自受信装置に適合する旨の信号（ＯＮ）を入力された段階で、記述子を探索する動作を終了する。これによって、これ以降の不要な探索動作を実行させないようにすることができる。
【００５５】
限定受信制御手段１３Ａは、フィルタリング手段１２で抽出されたＥＣＭおよびＥＭＭによって、スクランブル鍵を生成するものであって、図２で説明した限定受信制御手段１３と同じ機能を備えている。なお、この限定受信制御手段１３Ａには、フィルタリング手段１２で抽出されたＥＣＭおよびＥＭＭのうちで、切替信号出力手段１６によって、出力が許可された情報のみが入力される。
【００５６】
さらに、限定受信制御手段１３Ａは、自受信装置が行う限定受信方式を識別するための予め定めた値である限定受信方式識別子（ＣＡ＿ｓｙｓｔｅｍ＿ＩＤ）を出力する機能を備えている。この限定受信制御手段１３Ａは、限定受信方式識別子（ＣＡ＿ｓｙｓｔｅｍ＿ＩＤ）を比較手段１５に出力する。
【００５７】
比較手段１５は、アクセス制御記述子分離手段１１Ａが抽出した限定受信方式識別子（ＣＡ＿ｓｙｓｔｅｍ＿ＩＤ）と、限定受信制御手段１３Ａが出力した限定受信方式識別子（ＣＡ＿ｓｙｓｔｅｍ＿ＩＤ）とを比較するものである。
この比較手段１５は、両識別子の値が一致する場合、アクセス制御記述子分離手段１１Ａで抽出された限定受信方式識別子で特定される限定受信方式が自受信装置に適合する旨の信号（ＯＮ）を、アクセス制御記述子分離手段１１Ａおよび切替信号出力手段１６に出力する。なお、両識別子が一致しない場合、比較手段１５は、一致しない旨の信号（ＯＦＦ）を、アクセス制御記述子分離手段１１Ａおよび切替信号出力手段１６に出力する。
【００５８】
切替信号出力手段１６は、比較手段１５によって、アクセス制御記述子分離手段１１Ａが抽出した限定受信方式識別子（ＣＡ＿ｓｙｓｔｅｍ＿ＩＤ）と、限定受信制御手段１３Ａが出力した限定受信方式識別子（ＣＡ＿ｓｙｓｔｅｍ＿ＩＤ）とが一致すると判定された場合に、フィルタリング手段１２で抽出されたＥＣＭおよびＥＭＭを、限定受信制御手段１３Ａに出力するものである。
ここでは、切替信号出力手段１６は、比較手段１５から、ＯＮ信号を入力された場合に、ＥＣＭ／ＥＭＭを限定受信制御手段１３Ａに出力し、ＯＦＦ信号を入力された場合に、出力を行わないこととする。
【００５９】
以上説明したようにデジタル放送受信装置１Ａを構成することで、デジタル放送受信装置１Ａは、デジタル放送受信装置１（図２参照）の効果に加え、新たな限定受信方式を複数採用した場合であっても、個々の受信装置に対応する限定受信方式に対応したＥＣＭ／ＥＭＭを確実に抽出することができるため、正しくコンテンツを再生することができる。
さらに、限定受信方式を複数制御することができることで、１の限定受信方式のセキュリティ維持が困難な状態に陥ったとしても被害を最小限に抑えることができる。
【００６０】
［デジタル放送受信装置の動作］
次に、本発明の第２実施形態に係るデジタル放送受信装置１Ａの動作について説明する。なお、デジタル放送受信装置１Ａにおける限定受信方式により映像／音声をデスクランブルする動作そのものは一般的なものであるため、ここでは説明を省略する。
【００６１】
以下、図６を参照（構成については、適宜図５参照）して、本発明の主要な動作である、ＰＭＴ／ＣＡＴから、限定受信方式を特定する複数のアクセス制御記述子から、ＥＣＭ／ＥＭＭを特定するパケット識別（ＰＩＤ）を抽出するアクセス制御記述子分離手段１１Ａの動作について詳細に説明する。なお、ステップＳ１、Ｓ２、Ｓ３、Ｓ４は、図４で説明したデジタル放送受信装置１のアクセス制御記述子分離手段１１（図２参照）の動作と同じであるため、説明を省略する。
【００６２】
ステップＳ２において、記述子を抽出することができた場合（ステップＳ２でＹＥＳ）、アクセス制御記述子分離手段１１Ａは、比較手段１５の出力がＯＮであるか否かを判定する（ステップＳ２Ａ）。ここで、比較手段１５の出力がＯＮである場合（ステップＳ２ＡでＹＥＳ）、アクセス制御記述子分離手段１１Ａは、動作を終了する。これは、前回のループ処理において、アクセス制御記述子分離手段１１Ａが抽出した限定受信方式識別子（ＣＡ＿ｓｙｓｔｅｍ＿ＩＤ）と、限定受信制御手段１３Ａが出力した限定受信方式識別子（ＣＡ＿ｓｙｓｔｅｍ＿ＩＤ）とが一致しているため、これ以降、記述子の抽出を行う必要がないためである。
【００６３】
一方、比較手段１５の出力がＯＦＦである場合（ステップＳ２ＡでＮＯ）、アクセス制御記述子分離手段１１Ａは、抽出した記述子がアクセス制御記述子であって（ステップＳ３でＹＥＳ）、そのアクセス制御記述子に記載されているＰＩＤ（パケット識別）の値がヌルパケットの値（０ｘ１ＦＦＦ）でない（ステップＳ４でＮＯ）場合に、そのアクセス制御記述子に記載されている限定受信方式識別子（ＣＡ＿ｓｙｓｔｅｍ＿ＩＤ）を比較手段１５に出力するとともに、ＰＩＤをフィルタリング手段１２に出力する（ステップＳ５Ａ）。
【００６４】
このように、アクセス制御記述子分離手段１１Ａは、ＰＭＴ／ＣＡＴの記述子領域に、従来の限定受信方式記述子と並列に複数記載されているアクセス制御記述子を個々に分離して、ＰＩＤを抽出する。このとき、アクセス制御記述子分離手段１１Ａは、限定受信方式を特定する限定受信方式識別子（ＣＡ＿ｓｙｓｔｅｍ＿ＩＤ）を出力する。
【００６５】
これによって、デジタル放送受信装置１Ａは、アクセス制御記述子が複数存在する場合であっても、限定受信制御手段１３Ａが適用できる限定受信方式に合ったアクセス制御記述子により、自受信装置の限定受信方式で確実に動作することができる。
【００６６】
＜第３実施形態＞
［デジタル放送受信装置の構成］
次に、図７を参照して、本発明の第３実施形態に係るデジタル放送受信装置１Ｂの構成について説明する。
このデジタル放送受信装置１Ｂは、デジタル放送送信装置２（図１参照）から送信されるスクランブルされたコンテンツを受信し、限定受信方式で、コンテンツの暗号を復号するデジタル放送受信装置１（図２参照）の機能を備え、ＥＣＭ／ＥＭＭを取得する伝送経路を放送波のみに限定することなく、種々の伝送経路から取得することができる機能を備えている。
【００６７】
ここでは、デジタル放送受信装置１Ｂは、図示を省略した選局・復調手段と、多重分離手段１０と、アクセス制御記述子分離手段１１Ｂと、フィルタリング手段１２と、限定受信制御手段１３と、デスクランブル手段１４と、経路切替受信手段１７と、を備えている。
ここで、アクセス制御記述子分離手段１１Ｂおよび経路切替受信手段１７以外の構成は、図２で説明したデジタル放送受信装置１と同じ構成であるため、同一の符号を付して説明を省略する。
【００６８】
アクセス制御記述子分離手段１１Ｂは、多重分離手段１０で分離されたＰＭＴおよびＣＡＴから、アクセス制御記述子を分離し、当該アクセス制御記述子に記載されているパケット識別を抽出するものであって、図２で説明したアクセス制御記述子分離手段１１と同じ機能を備えている。さらに、アクセス制御記述子分離手段１１Ｂは、アクセス制御記述子に記載されている伝送経路を抽出する機能を備えている。
【００６９】
ここで、伝送経路は、図３（ａ）で説明したアクセス制御記述子の構成中のデータ（伝送情報Ｄ４）で指定される情報であって、ＥＣＭ／ＥＭＭがどの伝送経路で伝送されるかを特定する情報である。ここでは、３ビットの値で、経路を特定することとする。
この伝送情報Ｄ４は、例えば、ビット値が２進表記で“１１１”の場合、伝送経路が放送波であることを示す。また、それ以外のビット値によって、他の伝送経路、例えば、通信等を特定する。
ここでは、図７に示すように、アクセス制御記述子分離手段１１Ｂは、抽出したパケット識別（ＰＩＤ）を、フィルタリング手段１２に出力するとともに、抽出した伝送経路（伝送情報）を経路切替受信手段１７に出力する。
【００７０】
経路切替受信手段１７は、アクセス制御記述子分離手段１１Ｂから抽出された伝送経路（伝送情報）に基づいて、多重分離手段１０で分離された放送波を介して伝送される複数のＥＣＭおよびＥＭＭ、または、他の伝送経路から伝送される単一のまたは複数のＥＣＭおよびＥＭＭを切り替えて受信するものである。
なお、図７中、経路切替受信手段１７は、二者択一の構成としているが、ここでは、伝送経路の情報を３ビットとしているため、最大８経路まで選択することができる。
【００７１】
ここで、伝送経路が、２進表記で“１１１”の場合、経路切替受信手段１７は、多重分離手段１０から、ＥＣＭ／ＥＭＭを取得し、フィルタリング手段１２に出力する。また、伝送経路が、２進表記で“１１１”以外の場合、経路切替受信手段１７は、その値に応じて予め定めた取得元から、ＥＣＭ／ＥＭＭを取得し、フィルタリング手段１２に出力する。
【００７２】
なお、ここでは、伝送経路を切り替えてＥＣＭおよびＥＭＭを受信する経路切替受信手段１７を独立して設けることとしたが、フィルタリング手段１２が、経路切替受信手段１７の機能を備える構成としてもよい。
すなわち、デジタル放送受信装置１Ｂを、図８に示すように、選局・復調手段（不図示）と、多重分離手段１０と、アクセス制御記述子分離手段１１Ｂと、フィルタリング手段１２Ｂと、限定受信制御手段１３と、デスクランブル手段１４と、を備えたデジタル放送受信装置１Ｂ２として構成してもよい。
ここで、フィルタリング手段１２Ｂ以外の構成は、デジタル放送受信装置１Ｂ（図７参照）の構成と同じである。
【００７３】
フィルタリング手段１２Ｂは、アクセス制御記述子分離手段１１Ｂによって抽出された伝送情報で特定される伝送経路により伝送されるＥＣＭおよびＥＭＭから、同じくアクセス制御記述子分離手段１１Ｂによって抽出されたパケット識別（ＰＩＤ）に対応するＥＣＭおよびＥＭＭを抽出するものである。
【００７４】
すなわち、フィルタリング手段１２Ｂは、図７で説明した経路切替受信手段１７を内部に備えることで、多重分離手段１０で分離された放送波を介して伝送される複数のＥＣＭおよびＥＭＭ、または、他の伝送経路から伝送される単一のまたは複数のＥＣＭおよびＥＭＭを伝送経路により切り替えて受信し、その中から、アクセス制御記述子分離手段１１Ｂで抽出されたパケット識別（ＰＩＤ）に対応するＥＣＭおよびＥＭＭを抽出する。
このフィルタリング手段１２Ｂは、フィルタリングした結果のＥＣＭおよびＥＭＭを限定受信制御手段１３に出力する。
【００７５】
以上説明したようにデジタル放送受信装置１Ｂ（１Ｂ２）を構成することで、デジタル放送受信装置１Ｂは、デジタル放送受信装置１（図２参照）の効果に加え、ＥＣＭ／ＥＭＭを放送波以外から取得することができる。
【００７６】
［デジタル放送受信装置の動作］
次に、本発明の第３実施形態に係るデジタル放送受信装置１Ｂ（１Ｂ２）の動作について説明する。なお、デジタル放送受信装置１Ｂ（１Ｂ２）における限定受信方式により映像／音声をデスクランブルする動作そのものは一般的なものであるため、ここでは説明を省略する。
【００７７】
以下、図９を参照（構成については、適宜図７参照）して、本発明の主要な動作である、アクセス制御記述子分離手段１１Ｂの動作について説明する。なお、ステップＳ１〜Ｓ４は、図４で説明したデジタル放送受信装置１のアクセス制御記述子分離手段１１（図２参照）の動作と同じであるため、ここでは相違点についてのみ説明する。
【００７８】
アクセス制御記述子分離手段１１（図２参照）の動作との相違は、ステップＳ１〜Ｓ４の動作後、アクセス制御記述子分離手段１１Ｂが、ステップＳ１で抽出したアクセス制御記述子に記載されているＰＩＤをフィルタリング手段１２に出力するとともに、当該アクセス制御記述子に記載されている伝送経路（伝送情報）を経路切替受信手段１７に出力する（ステップＳ５Ｂ）点である。
なお、デジタル放送受信装置１Ｂ２（図８参照）の場合、アクセス制御記述子分離手段１１Ｂが、アクセス制御記述子に記載されているＰＩＤと伝送経路（伝送情報）とをフィルタリング手段１２Ｂに出力する。
【００７９】
このように、アクセス制御記述子分離手段１１Ｂは、ＰＭＴ／ＣＡＴの記述子領域に、従来の限定受信方式記述子と並列に記載されているアクセス制御記述子を分離して、ＰＩＤを抽出することに加え、ＥＣＭ／ＥＭＭの伝送経路を抽出することができる。これによって、デジタル放送受信装置１Ｂ（１Ｂ２）は、既存のデジタル放送受信装置がアクセスしない記述子により、従来の限定受信方式とは異なる新たな限定受信方式で動作することができる。さらに、デジタル放送受信装置１Ｂ（１Ｂ２）は、放送波以外からもＥＣＭ／ＥＭＭを取得することができ、放送帯域の圧迫を抑制することができる。
【００８０】
＜第４実施形態＞
［デジタル放送受信装置の構成］
次に、図１０を参照して、本発明の第４実施形態に係るデジタル放送受信装置１Ｃの構成について説明する。
このデジタル放送受信装置１Ｃは、デジタル放送受信装置１Ｂ（図７参照）と同様に、デジタル放送送信装置２（図１参照）から送信されるスクランブルされたコンテンツを受信し、限定受信方式で、コンテンツの暗号を復号する機能、並びに、ＥＣＭ／ＥＭＭを取得する伝送経路を放送波のみに限定することなく、種々の伝送経路から取得することができる機能を備え、さらに、同一のアクセス制御記述子で、異なる限定受信方式を識別する機能を備えている。
すなわち、デジタル放送受信装置１Ｃは、サイマルクリプト方式を適用して、アクセス制御記述子が複数送信された場合に、その中から、自受信装置の限定受信方式に該当するアクセス制御記述子で動作する機能を有する。
【００８１】
ここでは、デジタル放送受信装置１Ｃは、図示を省略した選局・復調手段と、多重分離手段１０と、アクセス制御記述子分離手段１１Ｃと、フィルタリング手段１２と、限定受信制御手段１３Ａと、デスクランブル手段１４と、比較手段１５と、切替信号出力手段１６と、経路切替受信手段１７と、を備えている。
【００８２】
ここで、多重分離手段１０、フィルタリング手段１２およびデスクランブル手段１４は、図２で説明したデジタル放送受信装置１と同じ構成であり、限定受信制御手段１３Ａ、比較手段１５および切替信号出力手段１６は、図５で説明したデジタル放送受信装置１Ａと同じ構成であり、経路切替受信手段１７は、図７で説明したデジタル放送受信装置１Ｂと同じ構成であるため、同一の符号を付して説明を省略する。
【００８３】
アクセス制御記述子分離手段１１Ｃは、多重分離手段１０で分離されたＰＭＴおよびＣＡＴから、アクセス制御記述子を分離し、当該アクセス制御記述子に記載されているパケット識別を抽出するとともに、アクセス制御記述子に記載されている伝送経路を抽出するものであって、図７で説明したアクセス制御記述子分離手段１１Ｂと同じ機能を備えている。さらに、アクセス制御記述子分離手段１１Ｃは、複数のアクセス制御記述子から、当該アクセス制御記述子に記載されている限定受信方式識別子を抽出する図５で説明したアクセス制御記述子分離手段１１Ａと同じ機能を備えている。
【００８４】
なお、ここでは、伝送経路を切り替えてＥＣＭおよびＥＭＭを受信する経路切替受信手段１７を独立して設けることとしたが、図８と同様に、フィルタリング手段１２が、経路切替受信手段１７の機能を備える構成としてもよい。
すなわち、デジタル放送受信装置１Ｃを、図１１に示すように、選局・復調手段（不図示）と、多重分離手段１０と、アクセス制御記述子分離手段１１Ｃと、フィルタリング手段１２Ｂと、限定受信制御手段１３Ａと、デスクランブル手段１４と、比較手段１５と、切替信号出力手段１６と、を備えたデジタル放送受信装置１Ｃ２として構成してもよい。
ここで、フィルタリング手段１２Ｂは、デジタル放送受信装置１Ｂ２（図８参照）の構成と同じであるが、ＥＣＭおよびＥＭＭの出力先が切替信号出力手段１６である点が異なっている。また、フィルタリング手段１２Ｂ以外の構成は、デジタル放送受信装置１Ｃ（図１０参照）の構成と同じである。
【００８５】
以上説明したようにデジタル放送受信装置１Ｃ（１Ｃ２）を構成することで、デジタル放送受信装置１Ｃは、デジタル放送受信装置１，１Ａ，１Ｂ，１Ｂ２（図２，図５，図７，図８参照）の効果を併せて有することになる。
【００８６】
［デジタル放送受信装置の動作］
次に、本発明の第４実施形態に係るデジタル放送受信装置１Ｃ（１Ｃ２）の動作について説明する。なお、デジタル放送受信装置１Ｃ（１Ｃ２）における限定受信方式により映像／音声をデスクランブルする動作そのものは一般的なものであるため、ここでは説明を省略する。
【００８７】
以下、図１２を参照（構成については、適宜図１０参照）して、本発明の主要な動作である、アクセス制御記述子分離手段１１Ｃの動作について説明する。なお、ステップＳ１〜Ｓ４は、図６で説明したデジタル放送受信装置１Ａのアクセス制御記述子分離手段１１Ａ（図５参照）の動作と同じであるため、ここでは相違点についてのみ説明する。
【００８８】
アクセス制御記述子分離手段１１Ａ（図５参照）の動作との相違は、ステップＳ１〜Ｓ４の動作後、アクセス制御記述子分離手段１１Ｃが、ステップＳ１で抽出したアクセス制御記述子に記載されているＰＩＤをフィルタリング手段１２に出力するとともに、当該アクセス制御記述子に記載されている伝送経路（伝送情報）を経路切替受信手段１７に出力する（ステップＳ５Ｃ）点である。
なお、デジタル放送受信装置１Ｃ２（図１１参照）の場合、アクセス制御記述子分離手段１１Ｃが、アクセス制御記述子に記載されているＰＩＤと伝送経路（伝送情報）とをフィルタリング手段１２Ｂに出力する。
【００８９】
このように、アクセス制御記述子分離手段１１Ｃは、ＰＭＴ／ＣＡＴの記述子領域に、従来の限定受信方式記述子と並列に記載されているアクセス制御記述子を分離して、ＰＩＤを抽出するとともに、ＥＣＭ／ＥＭＭの伝送経路と限定受信方式を特定する限定受信方式識別子（ＣＡ＿ｓｙｓｔｅｍ＿ＩＤ）とを抽出することができる。
【００９０】
これによって、デジタル放送受信装置１Ｃ（１Ｃ２）は、既存のデジタル放送受信装置がアクセスしない記述子により、従来の限定受信方式とは異なる新たな限定受信方式で動作することができる。また、デジタル放送受信装置１Ｃ（１Ｃ２）は、アクセス制御記述子が複数存在する場合であっても、限定受信制御手段１３Ａが適用できる限定受信方式に合ったアクセス制御記述子により、自受信装置の限定受信方式で確実に動作することができる。さらに、デジタル放送受信装置１Ｃ（１Ｃ２）は、放送波以外からもＥＣＭ／ＥＭＭを取得することができ、放送帯域の圧迫を抑制することができる。
【００９１】
以上、本発明の実施形態について種々説明したが、デジタル放送受信装置１，１Ａ，１Ｂ（１Ｂ２），１Ｃ（１Ｃ２）は、一般的なコンピュータを前記した各手段として機能させるデジタル放送受信プログラムによって動作させることができる。
なお、このデジタル放送受信プログラムは、ネットワークを介して配信したり、ＣＤ−ＲＯＭ等の記録媒体に書き込んで配布したりすることも可能である。また、このデジタル放送受信プログラムは、例えば、パーソナルコンピュータ上で動作させることができる。
【００９２】
［デジタル放送送信装置］
最後に、図１３を参照して、デジタル放送送信装置２について説明する。
このデジタル放送送信装置２は、コンテンツを暗号化（スクランブル）して、複数の限定受信方式により、暗号化したコンテンツをデジタル放送受信装置１，１Ａ，１Ｂ（１Ｂ２），１Ｃ（１Ｃ２）に送信するものである。
ここでは、デジタル放送送信装置２は、スクランブル手段２０と、第１ＥＣＭ／ＥＭＭ生成手段２１と、第２ＥＣＭ／ＥＭＭ生成手段２２と、伝送経路切替手段２３と、記述子生成手段２４と、ＰＭＴ／ＣＡＴ生成手段２５と、通信送信手段２６と、多重手段２７と、を備えている。
【００９３】
スクランブル手段２０は、入力されたコンテンツ（映像、音声等）をスクランブル鍵でスクランブル（暗号化）するものである。このスクランブル手段２０の暗号化は、限定受信方式により予め定めた暗号化アルゴリズムを用いればよく、例えば、ＭＵＬＴＩ２暗号を用いることができる。このスクランブル手段２０は、スクランブルしたコンテンツを、多重手段２７に出力する。
【００９４】
第１ＥＣＭ／ＥＭＭ生成手段（第１メッセージ情報生成手段）２１は、スクランブル手段２０でスクランブルに使用したスクランブル鍵を、ワーク鍵を用いて暗号化して、ＥＣＭ（共通情報）を生成するとともに、ワーク鍵を、デジタル放送受信装置固有のデバイス鍵またはマスター鍵で暗号化して、ＥＭＭ（個別情報）を生成するものである。
この第１ＥＣＭ／ＥＭＭ生成手段２１は、限定受信方式記述子で特定される限定受信方式で固有のＥＣＭ／ＥＭＭを生成する。例えば、第１ＥＣＭ／ＥＭＭ生成手段２１は、ＩＣカードを用いた限定受信方式（Ｂ−ＣＡＳ方式等）に対応するＥＣＭ／ＥＭＭを生成する。
この第１ＥＣＭ／ＥＭＭ生成手段２１は、生成したＥＣＭおよびＥＭＭを、多重手段２７に出力する。
【００９５】
第２ＥＣＭ／ＥＭＭ生成手段（第２メッセージ情報生成手段）２２は、第１ＥＣＭ／ＥＭＭ生成手段２１と同様に、スクランブル手段２０でスクランブルに使用したスクランブル鍵を、ワーク鍵を用いて暗号化して、ＥＣＭ（共通情報）を生成するとともに、ワーク鍵を、デジタル放送受信装置固有のデバイス鍵またはマスター鍵で暗号化して、ＥＭＭ（個別情報）を生成するものである。
【００９６】
ただし、この第２ＥＣＭ／ＥＭＭ生成手段２２は、限定受信方式記述子とは異なる他の限定受信方式を識別するアクセス制御記述子で固有のＥＣＭ／ＥＭＭを生成する。例えば、第２ＥＣＭ／ＥＭＭ生成手段２２は、ＩＣカードを使用せずに、ソフトウェア制御でコンテンツの暗号を復号するＡＲＩＢ  ＳＴＤ−Ｂ２５第三部で規定されている限定受信方式に対応するＥＣＭ／ＥＭＭを生成する。
この第２ＥＣＭ／ＥＭＭ生成手段２２は、生成したＥＣＭおよびＥＭＭを、伝送経路切替手段２３に出力する。
【００９７】
伝送経路切替手段２３は、外部から指示される伝送経路に基づいて、第２ＥＣＭ／ＥＭＭ生成手段２２から入力されるＥＣＭおよびＥＭＭの出力先を多重手段２７または通信送信手段２６に切り替えるものである。
この伝送経路切替手段２３において、出力先を切り替えることで、第２ＥＣＭ／ＥＭＭ生成手段２２が生成したＥＣＭおよびＥＭＭが、多重手段２７を介して放送波によって伝送されるか、通信送信手段２６を介して通信回線によって伝送されるかが切り替わる。
【００９８】
記述子生成手段２４は、ＰＭＴやＣＡＴの記述子領域に設定する記述子を生成するものである。ここでは、記述子生成手段２４は、外部から、限定受信方式記述子やアクセス制御記述子を生成するための情報を入力されることでそれぞれの記述子を生成する。
すなわち、記述子生成手段２４は、限定受信方式記述子を生成する情報として、固有の限定受信方式識別子や、第１ＥＣＭ／ＥＭＭ生成手段２１で生成されたＥＣＭ／ＥＭＭを伝送する際のＴＳパケットのパケット識別（ＰＩＤ）を入力されることで、図３（ｂ）に示すような構成で限定受信方式記述子を生成する。
【００９９】
また、記述子生成手段２４は、アクセス制御記述子を生成する情報として、固有の限定受信方式識別子や、伝送経路を示す伝送情報、第２ＥＣＭ／ＥＭＭ生成手段２２で生成されたＥＣＭ／ＥＭＭを伝送する際のＴＳパケットのパケット識別（ＰＩＤ）を入力されることで、図３（ａ）に示すような構成でアクセス制御記述子を生成する。
この記述子生成手段２４は、生成した記述子をＰＭＴ／ＣＡＴ生成手段２５に出力する。
【０１００】
ＰＭＴ／ＣＡＴ生成手段（テーブル情報生成手段）２５は、ＴＳに多重するテーブル情報であるＰＭＴおよびＣＡＴを生成するものである。
このＰＭＴ／ＣＡＴ生成手段２５は、記述子領域に、記述子生成手段２４で生成された記述子（限定受信方式記述子、アクセス制御記述子等）を記載してＰＭＴおよびＣＡＴを生成する。なお、ＰＭＴ／ＣＡＴに記載する記述子は、アクセス制御記述子以外、一般的なものであり、そのデータ構成についても公知のものであるため、ここでは説明を省略する。
このＰＭＴ／ＣＡＴ生成手段２５は、生成したＰＭＴ／ＣＡＴを多重手段２７に出力する。
【０１０１】
通信送信手段２６は、伝送経路切替手段２３において、出力先が通信回線として切り替えられたＥＣＭ／ＥＭＭを、通信回線を介して、デジタル放送受信装置に送信するものである。これによって、ＥＣＭ／ＥＭＭを放送波で伝送する際の放送帯域の圧迫を抑えることができる。
【０１０２】
多重手段２７は、スクランブル手段２０でスクランブルされたコンテンツに、第１ＥＣＭ／ＥＭＭ生成手段２１で生成されたＥＣＭ／ＥＭＭと、伝送経路を放送波で指定された場合の第２ＥＣＭ／ＥＭＭ生成手段２１で生成されたＥＣＭ／ＥＭＭと、ＰＭＴ／ＣＡＴ生成手段２５で生成されたＰＭＴ／ＣＡＴとを多重化するものである。
この多重手段２７は、多重化したＴＳを、図示を省略した送信変調装置を介して、放送波として、デジタル放送受信装置に送信する。
【０１０３】
以上説明したようにデジタル放送送信装置２を構成することで、デジタル放送送信装置２は、異なる限定受信方式ごとにＥＣＭ／ＥＭＭを生成し、デジタル放送受信装置に送信することができ、複数の限定受信方式を動作させることができる。
また、このとき、デジタル放送送信装置２は、従来の限定受信方式記述子を従来の形式のまま伝送し、アクセス制御記述子を限定受信方式記述子と並列に記述子領域に記載するため、新たな限定受信方式を適用したデジタル放送受信装置に対して、従来のデジタル放送受信装置が認識しないアクセス制御記述子で制御することができる。
【０１０４】
なお、ここでは、デジタル放送送信装置２が、ＥＣＭおよびＥＭＭをデジタル放送受信装置に伝送することとしたが、予めワーク鍵がデジタル放送受信装置の限定受信制御手段１３，１３Ａに設定された状態で出荷されている場合、ＰＭＴ／ＣＡＴ生成手段２５は、ＰＭＴのみを生成すればよい。また、第１ＥＣＭ／ＥＭＭ生成手段２１および第２ＥＣＭ／ＥＭＭ生成手段２２は、ＥＣＭのみを生成すればよい。
【符号の説明】
【０１０５】
Ｓ      デジタル放送システム
１      デジタル放送受信装置
１０    多重分離手段
１１    アクセス制御記述子分離手段
１２    フィルタリング手段
１３    限定受信制御手段
１４    デスクランブル手段
１５    比較手段
１６    切替信号出力手段
１７    経路切替受信手段
２      デジタル放送送信装置
２０    スクランブル手段
２１    第１ＥＣＭ／ＥＭＭ生成手段（第１メッセージ情報生成手段）
２２    第２ＥＣＭ／ＥＭＭ生成手段（第２メッセージ情報生成手段）
２３    経路切替手段
２４    記述子生成手段
２５    ＰＭＴ／ＣＡＴ生成手段（テーブル情報生成手段）
２６    通信送信手段
【図１】
2014017798.tif 000003
【図２】
2014017798.tif 000004
【図３】
2014017798.tif 000005
【図４】
2014017798.tif 000006
【図５】
2014017798.tif 000007
【図６】
2014017798.tif 000008
【図７】
2014017798.tif 000009
【図８】
2014017798.tif 000010
【図９】
2014017798.tif 000011
【図１０】
2014017798.tif 000012
【図１１】
2014017798.tif 000013
【図１２】
2014017798.tif 000014
【図１３】
2014017798.tif 000015